(57)【要約】【課題】電子ロックシステムでの暗証コードの不正使用を確実に防止してセキュリティ性を向上させる。【解決手段】デジタルカメラ３で撮影したデジタル画像データを暗証コードとして電子ロック本体１のコントローラ６における不揮発性メモリ１６に記憶すると共に、解錠指示器２の不揮発性メモリ２３にも記憶し、解錠指示器２から近距離無線通信処理部２２を介して暗証コードを電子ロック本体１の近距離無線通信処理部１１に送信することにより、受信した暗証コードと不揮発性メモリ１６に記憶された暗証コードとが一致したときに制御部１７からドア開信号をオートロック機構５に出力して、ロック解除を行う。【選択図】    図１
2004176289.tif 000002
【特許請求の範囲】
【請求項１】
施錠及び解錠を行う電子ロック本体と、該電子ロック本体に対して解錠を指示する解錠指示手段とを備え、前記電子ロック本体及び解錠指示手段との間で暗証コードとしてデジタルデータを使用するようにした電子ロックシステムにおいて、
被写体を撮像してデジタル画像データを得るデジタル撮像手段を有し、前記解錠指示手段は、前記デジタル撮像手段で得られる特定のデジタル画像データを暗証コードとして保持する暗証コード記憶手段を有し、前記電子ロック本体は、前記特定の画像データを記憶する暗証コード記憶手段と、該暗証コード記憶手段に記憶された暗証コードと前記解錠指示手段から入力される暗証コードとを比較して両者が一致したときに電子ロックの解錠を行う解錠手段とを備えていることを特徴とする電子ロックシステム。
【請求項２】
前記解錠指示手段は記電子ロック本体に対して暗証コードを無線で送信する無線送信手段を有し、前記電子ロック本体は前記解錠指示手段の無線送信手段から送信された暗証コードを受信する無線受信手段を有することを特徴とする請求項１に記載の電子ロックシステム。
【請求項３】
前記解錠指示手段は、デジタル撮像手段を有する携帯電話機で構成され、当該デジタル撮像手段で撮像したデジタル画像データを暗証コードとして暗証コード記憶手段に記憶すると共に、前記電子ロック本体に送信するように構成されていることを特徴とする請求項１又は２に記載の電子ロックシステム。
【請求項４】
前記電子ロック本体は、暗証コード記憶手段に記憶している暗証コードを変更する際に、旧デジタル画像データ及びＩＤコードの入力を求めるように構成されていることを特徴とする請求項１乃至３の何れかに記載の電子ロックシステム。
【請求項５】
施錠及び解錠を行う電子ロック本体に対して、解錠指示手段から暗証コードとしてデジタルデータを使用してロック解除指示を行うようにした電子ロック解錠方法において、
被写体を撮像して得たデジタル画像データを暗証コードとして前記電子ロック本体及び解錠指示手段に記憶させるステップと、電子ロック本体で解錠を行う際に、前記解錠指示手段からデジタル画像データの暗証コードを電子ロック本体に入力するステップと、電子ロック本体で入力された暗証コードと自己が記憶しているデジタル画像データの暗証コードとを比較して、両者が一致したときに電子ロックを解錠するステップとを有することを特徴とする電子ロック解錠方法。
【発明の詳細な説明】
【０００１】
【発明の属する技術分野】
本発明は施錠及び解錠を行う電子ロック本体に対して、解錠指示手段から暗証コードとしてデジタルデータを使用してロック解除指示を行うようにした電子ロックシステム及び電子ロック解錠方法に関する。
【０００２】
【従来の技術】
従来の電子ロックシステムとしては、電子ロックの施錠及び解錠を許可する携帯電話の電話番号及び暗証コードを対応付けてメモリに保持しておき、携帯電話からの着信があった場合に、発信元の携帯電話番号がメモリに記憶されている電話番号と一致すると共に、発信元の携帯電話からプッシュボタン信号として送信されてきた暗証コードが、発信元の携帯電話番号に対応付けてメモリに保持されている暗証コードと一致したときに電子ロック施錠・解錠器に電子ロックの施錠あるいは解除を行わせる電子ロックシステムが提案されている（例えば、特許文献１参照）。
【０００３】
【特許文献１】
特開２０００−２０２９号公報
【０００４】
【発明が解決しようとする課題】
上記特許文献１に記載された従来例にあっては、携帯電話機の電話番号と暗証コードとを互いに対応付けて記憶しておくことにより、既存の携帯電話機を利用して、遠隔地からの電子ロックの施錠及び解除を可能とすることができるものである。しかしながら、この従来例では、携帯電話番号や暗証コードを他人に知られた場合には、電子ロックが不正に解除される可能性があり、セキュリティ性が低いという未解決の課題がある。
【０００５】
そこで、本発明は、上記従来例の未解決の課題に着目してなされたものであり、暗証コードを不正に作成することが困難な電子ロックシステム及び電子ロック解除方法を提供することを目的としている。
【０００６】
【課題を解決するための手段】
〔発明１〕
上記目的を達成するために、発明１に係る電子ロックシステムは、施錠及び解錠を行う電子ロック本体と、該電子ロック本体に対して解錠を指示する解錠指示手段とを備え、前記電子ロック本体及び解錠指示手段との間で暗証コードとしてデジタルデータを使用するようにした電子ロックシステムにおいて、被写体を撮像してデジタル画像データを得るデジタル撮像手段を有し、前記解錠指示手段は、前記デジタル撮像手段で得られる特定のデジタル画像データを暗証コードとして保持する暗証コード記憶手段を有し、前記電子ロック本体は、前記特定の画像データを記憶する暗証コード記憶手段と、該暗証コード記憶手段に記憶された暗証コードと前記解錠指示手段から入力される暗証コードとを比較して両者が一致したときに電子ロックの解錠を行う解錠手段とを備えていることを特徴としている。
【０００７】
この発明１では、上記構成を採用することにより、デジタル撮像手段で被写体を撮像したデジタル画像データを暗証コードとすることにより、他人が暗証コードとなるデジタル画像データを視認して該当する被写体をデジタルカメラ等で撮像したとしても、暗証コードとして採用しているデジタル画像データと背景や、明るさ等が微妙に異なり、同一デジタル画像データを再現することは不可能に近く、セキュリティ性を格段に向上させることができる。
〔発明２〕
また、発明２に係る電子ロックシステムは、前記解錠指示手段は記電子ロック本体に対して暗証コードを無線で送信する無線送信手段を有し、前記電子ロック本体は前記解錠指示手段の無線送信手段から送信された暗証コードを受信する無線受信手段を有することを特徴としている。
【０００８】
この発明２では、電子ロック本体と解除指示手段との間で暗証コードを無線送信することができるので、非接触で電子ロック本体での解錠を行うことが可能となる。
〔発明３〕
さらに、発明３に係る電子ロックシステムは、前記解錠指示手段は、デジタル撮像手段を有する携帯電話機で構成され、当該デジタル撮像手段で撮像したデジタル画像データを暗証コードとして暗証コード記憶手段に記憶すると共に、前記電子ロック本体に送信するように構成されていることを特徴としている。
【０００９】
この発明３では、デジタルカメラ等のデジタル撮像手段を有する携帯電話機で解錠指示手段を構成するので、既存の携帯電話機を利用して、携帯指示手段を容易に構成することができる。
〔発明４〕
さらにまた、発明４に係る電子ロックシステムは、前記電子ロック本体は、暗証コード記憶手段に記憶している暗証コードを変更する際に、旧デジタル画像データ及びＩＤコードの入力を求めるように構成されていることを特徴としている。
【００１０】
この発明４では、電子ロック本体にデジタル画像データでなる暗証コードを記憶する際に、登録者のＩＤコードを要求して認証を行うことにより、暗証コードの不用意な変更を確実に防止してセキュリティ性をより向上させることができる。
〔発明５〕
また、発明５に係る電子ロック解錠方法は、施錠及び解錠を行う電子ロック本体に対して、解錠指示手段から暗証コードとしてデジタルデータを使用してロック解除指示を行うようにした電子ロック解錠方法において、被写体を撮像して得たデジタル画像データを暗証コードとして前記電子ロック本体及び解錠指示手段に記憶させるステップと、電子ロック本体で解錠を行う際に、前記解錠指示手段からデジタル画像データの暗証コードを電子ロック本体に入力するステップと、電子ロック本体で入力された暗証コードと自己が記憶しているデジタル画像データの暗証コードとを比較して、両者が一致したときに電子ロックを解錠するステップとを有することを特徴としている。
【００１１】
この発明５では、デジタル撮像手段で被写体を撮像したデジタル画像データを暗証コードとすることにより、他人が暗証コードとなるデジタル画像データを視認して該当する被写体をデジタルカメラ等で撮像したとしても、暗証コードとして採用しているデジタル画像データと背景や、明るさ等が微妙に異なり、同一デジタル画像データを再現することは不可能に近く、セキュリティ性を格段に向上させることができる。
【００１２】
【発明の実施の形態】
以下、本発明の実施形態を図面について説明する。
図１は本発明の一実施形態に係る電子ロックシステムの構成を示すブロック図である。
この電子ロックシステムは、電子ロック本体１と、この電子ロック本体１に対して少なくとも解錠を指示する解錠指示手段としての解錠指示器２と、被写体を撮像してカラーのデジタル画像データを得るデジタル撮像手段としてのデジタルカメラ３とで構成されている。
【００１３】
電子ロック本体１は、例えばビルの玄関との出入口に配設されたオートロック機構５と、このオートロック機構５を制御するコントローラ６とで構成されている。
オートロック機構５は、常時は出入口に設けられたドアを閉状態に維持し、この状態から入口側で解錠指示器２から暗証コードが入力されることにより、コントローラ６からドア開信号が入力されると、これに応じてドアを開状態とし、通行者が通り過ぎるか又は所定時間が経過するとドアを閉状態に復帰させるように構成されている。
【００１４】
コントローラ６は、解錠指示器２との間で例えば通信範囲が数十メートル以内に設定された近距離無線通信を行って、解錠指示器２からの暗証コードを受信処理する近距離無線通信処理部１１と、デジタルカメラ３からデジタル画像データが暗証コードとして入力される入力インタフェース部１２と、キー入力が可能なキーパッド１３と、ガイダンス情報を表示する液晶ディスプレイ等の表示器１４と、音声ガイダンス情報を出力するスピーカ１５とを備えている。また、コントローラ６は、入力インタフェース部１２に入力されたデジタル画像データで構成される暗証コードを記憶する暗証コード記憶手段としての不揮発性メモリ１６と、この不揮発メモリ１６に対する暗証コードの記憶処理と、近距離無線通信処理部１１から入力される暗証コードと不揮発性メモリ１６に記憶された暗証コードとに基づいてオートロック機構５を制御する開閉制御処理を行う制御部１７とを備えている。
【００１５】
制御部１７では、図２に示す暗証コード登録処理及び図３に示す開閉制御処理を実行する。
暗証コード登録処理は、キーパッド１３から暗証コード登録処理を行う予め設定された所定桁数のＩＤコードとしての登録用暗証コードが入力されたときに実行を開始し、先ず、ステップＳ１で、入力インタフェース部１２に例えばＵＳＢ（Ｕｎｉｖｅｒｓａｌ  Ｓｅｒｉａｌ  Ｂｕｓ）コード３ａを介してデジタルカメラ３が接続されているか否かを判定し、デジタルカメラ３が接続されていないときにはステップＳ２に移行して、入力インタフェース部１２にデジタルカメラ３を接続することを促すガイダンス情報を表示器１４に出力してから前記ステップＳ１に戻る。
【００１６】
また、ステップＳ１の判定結果が、デジタルカメラ３が接続されているときには、ステップＳ３に移行して、デジタルカメラ３の記憶媒体から所望とするデジタル画像データを読込み、読込んだデジタル画像データを暗証コードとして不揮発性メモリ１６の所定記憶領域に格納してからステップＳ４に移行する。
このステップＳ４では、再度デジタルカメラ３からのデジタル画像データを読込むと共に、不揮発性メモリ１６に記憶されているデジタル画像データを読込み、次いでステップＳ５に移行して、読込んだ両デジタル画像データを照合して、両者が一致するか否かを判定する。
【００１７】
この判定結果が、両デジタル画像データが一致するものであるときには、ステップＳ６に移行して、暗証コードの登録が完了した旨のガイダンス情報を表示器１４に出力してから暗証コード登録処理を終了する。また、両デジタル画像データが不一致であるときには、ステップＳ７に移行して、暗証コードの再入力を促すガイダンス情報を表示器１４に出力して前記ステップＳ１に戻る。
【００１８】
また、ドア開閉制御処理は、コントローラ６に電源が投入されることにより実行開始され、図３に示すように、先ず、ステップＳ１１で、近距離無線通信処理部１１で受信した解錠指示器２からの暗証コードが入力されたか否かを判定し、暗証コードが入力されていないときには暗証コードが入力されるまで待機し、暗証コードが入力されたときにはステップＳ１２に移行する。
【００１９】
このステップＳ１２では、入力された暗証コードと不揮発性メモリ１６に記憶されている暗証コードとを照合して、両者が一致するか否かを判定し、両者が一致する場合にはステップＳ１３に移行して、オートロック機構５に対してドア開信号を出力してから前記ステップＳ１に戻る。また、入力された暗証コードと不揮発性メモリ１５に記憶された暗証コードとが不一致であるときにはステップＳ１４に移行して、暗証コードが異なるため再度暗証コードの入力を促す音声ガイダンス情報をスピーカ１５に出力してから前記ステップＳ１に戻る。
【００２０】
また、解錠指示器２は、図１に示すように、デジタルカメラ３と接続可能な外部入力インタフェース部２１と、電子ロック本体１との近距離無線通信を行う近距離無線通信処理部２２と、デジタルカメラ３から入力されるデジタル画像データを暗証コードとして記憶する暗証コード記憶手段としての不揮発性メモリ２３と、操作ボタンを有する操作部２４と、液晶ディスプレイ等の表示器２５と、暗証コードの登録及び送信を制御する制御部２６とを備えている。
【００２１】
制御部２６では、操作部２４で電源スイッチがオン状態とされて電源が投入されたときに図４に示す暗証コード制御処理を実行する。この暗証コード制御処理は、先ずステップＳ３１で、不揮発性メモリ２３に暗証コードが記憶されているか否かを判定し、暗証コードが記憶されていないときには、ステップＳ３２に移行して、デジタルカメラ３を使用して暗証コードの登録を行う旨のガイダンス情報を表示器２５に出力してからステップＳ３３に移行する。
【００２２】
このステップＳ３３では、外部入力インタフェース部２１にデジタルカメラ３が接続されたか否かを判定し、デジタルカメラ３が接続されていないときには前記ステップＳ３１に戻り、デジタルカメラ３が接続されたときにはステップＳ３４に移行する。
このステップＳ３４では、デジタルカメラ３からデジタル画像データを読込み、次いでステップＳ３５に移行して、読込んだデジタル画像データを暗証コードとして不揮発性メモリ２３の所定記憶領域に記憶してから前記ステップＳ３１に戻る。
【００２３】
ここで、暗証コードとして使用するデジタル画像データとしては、デジタルカメラ３で所望の被写体を撮影することにより得られるデジタル画像データをそのまま使用するようにしてもよく、ＪＰＥＧ（Ｊｏｉｎｔ  Ｐｈｏｔｏｇｒａｐｈｉｃ  Ｅｘｐｅｒｔｓ  Ｇｒｏｕｐ）方式等の圧縮データとして使用するようにしてもよく、さらには、撮影したデジタル画像データをトリミングしたデジタル画像データを使用するようにしてもよい。
【００２４】
また、前記ステップＳ３１の判定結果が、不揮発性メモリ２３に暗証コードが記憶されているときにはステップＳ３６に移行して、操作部２４で、暗証コード変更ボタンが操作されたか否かを判定し、暗証コード変更ボタンが操作されたときには前記ステップＳ３３に移行し、暗証コード変更ボタンが操作されていないときにはステップＳ３７に移行する。
【００２５】
このステップＳ３７では、操作部２４で、解錠操作ボタンが操作されたか否かを判定し、解錠操作ボタンが操作されているときにはステップＳ３８に移行して、不揮発性メモリ２３に記憶されているデジタル画像データでなる暗証コードを読出し、これを近距離無線通信処理部２１に出力してから前記ステップＳ３１に戻る。
【００２６】
また、ステップＳ３３の判定結果が、解錠操作ボタンが操作されていないときにはそのままステップＳ３１に戻る。
次に、上記実施形態の動作を説明する。
今、電子ロック本体１の不揮発性メモリ１６及び解錠指示器２の不揮発性メモリ２３に暗証コードが登録されていないものとする。この状態から電子ロックシステムを稼働させるには、先ず、電子ロック本体１の不揮発性メモリ１６及び解錠指示器２の不揮発性メモリ２３に暗証コードを登録する。
【００２７】
この暗証コードの登録を行うには、先ず、予めデジタルカメラ３で所望とする被写体を撮影して、デジタル画像データをデジタルカメラ３に装着されたフラッシュメモリ等の記憶媒体に記憶しておく。
その後、電子ロック本体の不揮発性メモリ１６に対しては、キーパッド１３で予め設定された所定桁数の登録用暗証コードを入力することにより、制御部１７で、図２の暗証コード登録処理が実行開始される。このとき又はその前に外部入力インタフェース部１２に暗証コード用のデジタル画像データを記憶したデジタルカメラ３をＵＳＢコードで構成される接続コード３ａで接続しておく。このように電子ロック本体１の外部入力インタフェース部１２にＵＳＢコード３ａを介してデジタルカメラ３が接続されていると、図２の暗証コード登録処理において、ステップＳ１からステップＳ３に移行し、デジタルカメラ３に記憶されているデジタル画像データを読込み、これを不揮発性メモリ１６に暗証コードとして記憶する。
【００２８】
この暗証コードの記憶が完了すると、再度デジタルカメラ３から同一のデジタル画像データを読込むと共に、不揮発性メモリ１６から暗証コードとなるデジタル画像データを読込む。次いで、ステップＳ５に移行して、両デジタル画像データが一致するか否かを判定し、両者が一致する場合には、暗証コードの登録が正常であると判断してステップＳ６に移行し、暗証コードの登録完了を表すガイダンス情報を表示器１４に出力して、このガイダンス情報を表示器１４に表示してから暗証コード登録処理を終了する。
【００２９】
なお、再度デジタルカメラ３から読出したデジタル画像データと不揮発性メモリ１６から読出した暗証コードを表すデジタル画像データとが不一致であるときには、ステップＳ５からステップＳ７に移行して、暗証コードの再入力を促すガイダンス情報を表示器１４に表示してからステップＳ１に戻ることにより、再度デジタル画像データの登録処理を実行する。
【００３０】
このようにして、電子ロック本体１のコントローラ６における不揮発性メモリ１６への暗証コードの登録が完了すると、解錠指示器２に対しても暗証コードの登録を行う。この場合も、電子ロック本体１の不揮発性メモリ１６に記憶したデジタル画像データを記憶したデジタルカメラ３をＵＳＢコード３ａを介して解錠指示器２の外部入力インタフェース部２１に接続し、この状態で、操作部２４の電源スイッチをオン状態とすることにより、制御部２６に電源が投入され、この制御部２６で図４に示す暗証コード制御処理が実行開始される。
【００３１】
この暗証コード制御処理では、解錠指示器２の不揮発性メモリ２３に暗証コードとしてのデジタル画像データが記憶されていないものとすると、ステップＳ３１からステップＳ３２に移行して、暗証コードの記憶要請を表すガイダンス情報が表示器２５に出力され、これが表示器２５に表示される。
次いで、ステップＳ３３に移行して、デジタルカメラ３が外部入力インタフェース部２１に接続されているか否かを判定し、デジタルカメラ３が接続されているので、ステップＳ３４に移行し、デジタルカメラ３から電子ロック本体１の不揮発性メモリ１６に記憶したと同一のデジタル画像データを読込み、次いでステップＳ３５に移行して、読込んだデジタル画像データを暗証コードとして不揮発性メモリ２３に記憶する。
【００３２】
このようにして、解錠指示器２にも暗証コードが記憶されると、電子ロックシステムの使用が可能となり、使用者が解錠指示器２を携帯して電子ロック本体１の近傍に行き、操作部２４の電源スイッチをオン状態とすることにより、図４の暗証コード制御処理が開始され、不揮発性メモリ２３にデジタル画像データが暗証コードとして格納されているので、ステップＳ３１からステップＳ３６に移行する。このとき、暗証コード変更ボタンを操作しないので、ステップＳ３７に移行し、操作部の解錠操作ボタンを操作することにより、ステップＳ３８に移行して、不揮発性メモリ２３に記憶されている暗証コードを読出し、これを近距離無線通信処理部２２に出力する。このため、近距離無線通信処理部２２から暗証コードが電子ロック本体１におけるコントローラ６の近距離無線通信処理部１１に送信される。
【００３３】
このコントローラ６では、近距離無線通信処理部１１で解錠指示器２からの暗証コードを受信すると、これを受信処理して暗証コードを制御部１７に入力する。この制御部１７では、図３の開閉制御処理を実行しており、近距離無線通信処理部１１から暗証コードが入力されると、ステップＳ１１からステップＳ１２に移行して、入力された暗証コードと不揮発性メモリ１６に記憶されている暗証コードとを照合して、両者が一致するか否かを判定し、両者が一致する場合には、ステップＳ１３に移行して、オートロック機構５に対してドア開信号を出力することにより、このオートロック機構５でドアを開状態に制御して、使用者がドアを通過して入室することができる。
【００３４】
そして、使用者がドアを通過し終わるか、又は所定時間が経過すると、オートロック機構５によってドアが閉状態に復帰され、他人の室内への入室が禁止される。
また、電子ロック本体１におけるコントローラ６及び解錠指示器２の不揮発性メモリ１６及び２３に記憶されている暗証コードを構成するデジタル画像データを変更する際には、電子ロック本体１についてはキーパッド１３から所定の登録用暗証コードを入力して、図２の暗証コード登録処理を実行することにより、新たなデジタル画像データを不揮発性メモリ１６に記憶させることができる。また、解錠指示器２については操作部２４の暗証コード変更ボタンを操作することにより、図４の暗証コード制御処理でステップＳ３６からステップＳ３３に移行して、新たなデジタル画像データを不揮発性メモリ２３に記憶させることができる。
【００３５】
このように、上記実施形態によると、電子ロック本体１と、解錠指示手段を構成する解錠指示器２と、デジタル撮像手段を構成するデジタルカメラ３とを有し、電子ロック本体１及び解錠指示器２にそれぞれデジタルカメラ３で撮像したデジタル画像データを暗証コードとして記憶する暗証コード記憶手段としての不揮発性メモリ１６及び２３を有し、電子ロック本体１は、不揮発性メモリ１６に記憶された暗証コードと解錠指示器２から入力される暗証コードとを比較して両者が一致したときに電子ロックの解錠を行う解錠手段を備え、暗証コードとしてデジタル画像データを使用している。このため、数字や符号を暗証コードに使用する場合のように、他人に容易に解読されることがないと共に、たとえデジタル画像データを解析して、同一の被写体の画像をデジタルカメラ３で撮像した場合でも、そのときの天気や、撮影時刻の相違によって、明るさや色合いが微妙に異なると共に、撮影位置を完全に同一にすることも不可能に近く、完全に同一のデジタル画像データを得ることは不可能に近いことから暗証コードを不正使用することを確実に防止することができ、セキュリティ性を大幅に向上させることができるという効果が得られる。
【００３６】
また、解錠指示器２で電子ロック本体１に対してデジタル画像データで構成される暗証コードを無線で送信する無線送信手段としての近距離無線通信処理部２１を設け、電子ロック本体１にも解錠指示器２から送信される暗証コードを受信する無線受信手段としての近距離無線通信処理部１１を有するので、解錠指示器２と電子ロック本体１との間の暗証コードの授受を非接触で行うことができ、キーレスエントリーシステムを構成することができるという効果が得られる。
【００３７】
なお、上記実施形態においては、デジタルカメラ３を使用して暗証コードを構成するデジタル画像データを電子ロック本体１及び解錠指示器２に記憶する場合について説明したが、これに限定されるものではなく、予めデジタルカメラ３で撮像されたデジタル画像データをリードオンリメモリ（ＲＯＭ）に記憶させ、このリードオンリメモリを電子ロック本体１及び解錠指示器２の不揮発性メモリ１６及び２３に代えて適用するようにしてもよい。
【００３８】
さらに、上記実施形態においては、専用の解錠指示器２を構成する場合について説明したが、これに限定されるものではなく、デジタルカメラ及び近距離無線通信処理部を内蔵した携帯電話機を解錠指示器２として適用することもでき、この場合には、携帯電話機のデジタルカメラで撮像したデジタル画像データを自己の不揮発性メモリに暗証コードとして記憶すると共に、近距離無線通信処理部を介して電子ロック本体１に送信して、電子ロック本体１のコントローラ６における不揮発性メモリ１６に暗証コードとして記憶することもでき、別途デジタルカメラを設ける必要がないと共に、専用の解錠指示器を携帯する必要もなく、解錠指示器の管理に気を使う必要がなくなるという効果が得られる。また、携帯電話機を解錠指示器として使用する場合には、電子ロック本体１におけるコントローラ６の不揮発性メモリ１６に暗証コードを構成するデジタル画像データを登録する際に、携帯電話機の電話番号を登録用暗証コードとして使用し、携帯電話通信回線を介して暗証コードの登録を行うことにより、他人が不正に暗証コードを登録することを確実に排除してセキュリティ性をより向上させることができる。
【００３９】
さらにまた、上記実施形態においては、電子ロック本体１で、暗証コードを変更するときに、登録用暗証コードを入力して、図２の暗証コード登録処理を実行する場合について説明したが、これに限定されるものではなく、暗証コード登録処理を実行したときに、暗証コードの変更であるか否かを判定し、暗証コードの変更であるときには、旧暗証コードの入力を求め、入力された旧暗証コードと不揮発性メモリ１６に記憶されている暗証コードとが一致したときに、新たなデジタル画像データを不揮発性メモリ１６に記憶させるようにしてもよい。この場合には、暗証コードの変更に旧暗証コードが必要となることにより、他人により不正に暗証コードが変更されることをより確実に防止することができる。
【００４０】
なおさらに、上記実施形態においては、デジタルカメラ３と電子ロック本体１及び解錠指示器２との接続をＵＳＢコード３ａで行う場合について説明したが、これに限定されるものではなく、他のデータ伝送可能なコードで接続するようにしてもよく、さらにはデジタルカメラ３のフラッシュメモリ等の記憶媒体を装着可能なインタフェース部を設け、このインタフェース部に記憶媒体を接続してデジタル画像データを入力するようにしてもよい。
【００４１】
また、上記実施形態においては、電子ロック本体１にオートロック機構５を設けて解錠指示のみを行う場合について説明したが、これに限定されるものではなく、施錠及び解錠を指示する一般家庭の玄関扉や自動車等の電子ロック機構を適用するようにしてもよく、任意の電子ロックシステムに本発明を適用することができる。
【００４２】
さらに、上記実施形態においては、電子ロック本体１と解錠指示器２との間の通信を近距離無線通信で行う場合について説明したが、赤外線通信等の他の無線通信方式を採用することもできる他、解錠指示器２を電気的に電子ロック本体１に接続して暗証コードを入力するようにしてもよい。
【図面の簡単な説明】
【図１】本発明の一実施形態に係る電子ロックシステムを示すブロック図である。
【図２】電子ロック本体のコントローラで実行する暗証コード登録処理を示すフローチャートである。
【図３】電子ロック本体のコントローラで実行する開閉制御処理を示すフローチャートである。
【図４】解錠指示器で実行する暗証コード制御処理を示すフローチャートである。
【符号の説明】
１  電子ロック本体、２  解錠指示器、３  デジタルカメラ、５  オートロック機構、６  コントローラ、１１  近距離無線通信処理部、１２  外部入力インタフェース部、１６  不揮発性メモリ、１７  制御部、２１  外部入力インタフェース部、２２部近距離無線通信処理部、２３  不揮発性メモリ、２４  操作部、２６  制御部
【図１】
2004176289.tif 000003
【図２】
2004176289.tif 000004
【図３】
2004176289.tif 000005
【図４】
2004176289.tif 000006